(57)【要約】【課題】被固定部材に対して固定部材を円筒状スペーサの長さの距離離して固定する作業を作業性よく行えるとともに、簡便に行うことのできる固定部材の固定方法を提供する。【解決手段】固定部材３１の挿通孔３３に前側（柱４１と反対側）から、円筒状スペーサ２１の貫通孔２２に挿通して円筒状スペーサ２１から突出したねじ軸１３および円筒状スペーサ２１を挿通してねじ軸１３を柱４１に螺合させることにより、固定部材３１の挿通孔３３を貫通した円筒状スペーサ２１の、固定部材３１側の一端を締付座１２の拡開面１２ａで拡径させながら締付座１２の一部分が円筒状スペーサ２１の貫通孔２２内に進入し、この円筒状スペーサ２１の一端と締付座１２とで固定部材３１を挟持し、柱４１に対して固定部材３１を円筒状スペーサ２１の長さの距離離して固定する。【選択図】図５
2008240788.tif 000002
【特許請求の範囲】
【請求項１】
円錐面状で拡開する拡開面を有する締付座の前記拡開面が縮閉する側の中心にねじ軸が設けられた固定ねじ部材と、
前記締付座の外径よりも小さい内径の貫通孔に前記ねじ軸が移動可能に挿入される拡径可能な円筒状スペーサと、
前記締付座の外径よりも小さい内径で、前記円筒状スペーサを挿通可能な挿通孔が設けられた固定部材と、
を用いて被固定部材に対して前記固定部材を固定する固定部材の固定方法であって、
前記被固定部材と対向する前記固定部材の挿通孔に、前記円筒状スペーサの貫通孔に挿通して前記円筒状スペーサから突出した前記ねじ軸および前記円筒状スペーサを挿通して前記ねじ軸を前記被固定部材に螺合させることにより、前記固定部材の挿通孔を貫通した前記円筒状スペーサの、前記固定部材側の一端を前記締付座の拡開面で拡径させながら前記締付座の一部分が前記円筒状スペーサの貫通孔内に進入し、この円筒状スペーサの一端と前記締付座とで前記固定部材を挟持し、前記被固定部材に対して前記固定部材を前記円筒状スペーサの長さの距離離して固定する、
ことを特徴とする固定部材の固定方法。
【請求項２】
円錐面状で拡開する拡開面を有する締付座の前記拡開面が縮閉する側の中心にねじ軸が設けられた固定ねじ部材と、
前記締付座の外径よりも小さい内径の貫通孔に前記ねじ軸が移動可能に挿入される拡径可能な円筒状スペーサと、
前記締付座の拡開面と同じ円錐面状で縮閉する縮閉面の縮閉端に、前記締付座の外径よりも小さい内径で、前記円筒状スペーサを挿通可能な挿通孔が設けられた固定部材と、
を用いて被固定部材に対して前記固定部材を固定する固定部材の固定方法であって、
前記被固定部材と対向する前記固定部材の挿通孔に前記縮閉面の大径側から、前記円筒状スペーサの貫通孔に挿通して前記円筒状スペーサから突出した前記ねじ軸および前記円筒状スペーサを挿通して前記ねじ軸を前記被固定部材に螺合させることにより、前記固定部材の挿通孔を貫通した前記円筒状スペーサの、前記固定部材側の一端を前記締付座の拡開面で拡径させながら前記締付座の一部分が前記円筒状スペーサの貫通孔内に進入し、この円筒状スペーサの一端と前記締付座とで前記固定部材を挟持し、前記被固定部材に対して前記固定部材を前記円筒状スペーサの長さの距離離して固定する、
ことを特徴とする固定部材の固定方法。
【請求項３】
請求項１または請求項２に記載の固定部材の固定方法において、
前記ねじ軸が木工用ねじ軸である、
ことを特徴とする固定部材の固定方法。
【請求項４】
請求項１または請求項２に記載の固定部材の固定方法において、
前記ねじ軸がタッピング用ねじ軸またはドリル用ねじ軸である、
ことを特徴とする固定部材の固定方法。
【発明の詳細な説明】
【技術分野】
【０００１】
この発明は、被固定部材に対して固定部材を円筒状スペーサの長さの距離離して固定することのできる固定部材の固定方法に関するものである。
【背景技術】
【０００２】
上記した、被固定部材を柱とし、固定部材を縦胴縁として、柱に対して縦胴縁を断熱材の厚さだけ離して固定する場合、柱と縦胴縁との間に断熱材の厚さの長さを有した円筒状スペーサを介在させ、縦胴縁側から円筒状スペーサの貫通孔に留付ビスを挿通して柱に留付ビスを螺合させることにより、縦胴縁を円筒状スペーサの長さの距離離して柱に固定している（例えば、非特許文献１参照。）。
【０００３】
【非特許文献１】外壁・外壁材のニチハ株式会社ホームページ（専門業者向け情報サイト→施工技術情報→設計施工資料集：外装編追補版→外張り断熱工法）、平成１９年１月３０日検索、インターネット＜ＵＲＬ：ｈｔｔｐ：／／ｗｗｗ５．ｍｅｄｉａｇａｌａｘｙ．ｃｏ．ｊｐ／ｎｉｃｈｉｈａ／ｐｒｏ／ｔｅｃｈ／ｗａｌｌ  ｂ／ｉｎｄｅｘ．ｈｔｍｌ＞
【発明の開示】
【発明が解決しようとする課題】
【０００４】
上記したように、柱に対して縦胴縁を断熱材の厚さだけ離して固定する場合、柱と縦胴縁との間に円筒状スペーサを介在させて固定するので、円筒状スペーサを予め柱と縦胴縁との間に配置する必要がある。
したがって、縦胴縁および断熱材の固定（取付）作業は、作業性が悪く、複雑な作業となり、工期が長引くとともに、施工費が増加する。
また、縦胴縁側から円筒状スペーサの貫通孔に留付ビスを挿通する場合、円筒状スペーサの貫通孔の位置を縦胴縁に印した後、この印を目当てに留付ビスを円筒状スペーサの貫通孔に挿通させるので、縦胴縁および断熱材の固定（取付）作業は、作業性が悪く、複雑な作業となり、工期が長引くとともに、施工費が増加する。
【０００５】
この発明は、上記したような不都合を解消するためになされたもので、被固定部材に対して固定部材を円筒状スペーサの長さの距離離して固定する作業を作業性よく行えるとともに、簡便に行うことのできる固定部材の固定方法を提供するものである。
【課題を解決するための手段】
【０００６】
この発明は、以下のような発明である。
（１）円錐面状で拡開する拡開面を有する締付座の前記拡開面が縮閉する側の中心にねじ軸が設けられた固定ねじ部材と、前記締付座の外径よりも小さい内径の貫通孔に前記ねじ軸が移動可能に挿入される拡径可能な円筒状スペーサと、前記締付座の外径よりも小さい内径で、前記円筒状スペーサを挿通可能な挿通孔が設けられた固定部材とを用いて被固定部材に対して前記固定部材を固定する固定部材の固定方法であって、前記被固定部材と対向する前記固定部材の挿通孔に、前記円筒状スペーサの貫通孔に挿通して前記円筒状スペーサから突出した前記ねじ軸および前記円筒状スペーサを挿通して前記ねじ軸を前記被固定部材に螺合させることにより、前記固定部材の挿通孔を貫通した前記円筒状スペーサの、前記固定部材側の一端を前記締付座の拡開面で拡径させながら前記締付座の一部分が前記円筒状スペーサの貫通孔内に進入し、この円筒状スペーサの一端と前記締付座とで前記固定部材を挟持し、前記被固定部材に対して前記固定部材を前記円筒状スペーサの長さの距離離して固定することを特徴とする固定部材の固定方法である。
（２）円錐面状で拡開する拡開面を有する締付座の前記拡開面が縮閉する側の中心にねじ軸が設けられた固定ねじ部材と、前記締付座の外径よりも小さい内径の貫通孔に前記ねじ軸が移動可能に挿入される拡径可能な円筒状スペーサと、前記締付座の拡開面と同じ円錐面状で縮閉する縮閉面の縮閉端に、前記締付座の外径よりも小さい内径で、前記円筒状スペーサを挿通可能な挿通孔が設けられた固定部材とを用いて被固定部材に対して前記固定部材を固定する固定部材の固定方法であって、前記被固定部材と対向する前記固定部材の挿通孔に前記縮閉面の大径側から、前記円筒状スペーサの貫通孔に挿通して前記円筒状スペーサから突出した前記ねじ軸および前記円筒状スペーサを挿通して前記ねじ軸を前記被固定部材に螺合させることにより、前記固定部材の挿通孔を貫通した前記円筒状スペーサの、前記固定部材側の一端を前記締付座の拡開面で拡径させながら前記締付座の一部分が前記円筒状スペーサの貫通孔内に進入し、この円筒状スペーサの一端と前記締付座とで前記固定部材を挟持し、前記被固定部材に対して前記固定部材を前記円筒状スペーサの長さの距離離して固定することを特徴とする固定部材の固定方法である。
（３）（１）または（２）に記載の固定部材の固定方法において、前記ねじ軸が木工用ねじ軸であることを特徴とする。
（４）（１）または（２）に記載の固定部材の固定方法において、前記ねじ軸がタッピング用ねじ軸またはドリル用ねじ軸であることを特徴とする。
【発明の効果】
【０００７】
この発明によれば、固定部材の挿通孔に前側（被固定部材と反対側）から、円筒状スペーサの貫通孔に挿通して円筒状スペーサから突出したねじ軸および円筒状スペーサを挿通してねじ軸を被固定部材に螺合させることにより、固定部材の挿通孔を貫通した円筒状スペーサの、固定部材側の一端を締付座の拡開面で拡径させながら締付座の一部分が円筒状スペーサの貫通孔内に進入し、この円筒状スペーサの一端と締付座とで固定部材を挟持し、被固定部材に対して固定部材を円筒状スペーサの長さの距離離して固定することができる。
したがって、被固定部材に対して、締付座によって厚さが、例えば、１ｍｍ程度の薄い固定部材を円筒状スペーサの長さの距離離して固定する作業において、円筒状スペーサの設置作業および固定ねじ部材による締結作業が同時進行的に行えることにより、固定部材の固定作業が作業性よく行えるとともに、簡便になり、工期を短縮することができるとともに、施工費を大幅に削減することができる。
また、固定部材の挿通孔に縮閉面の大径側から、円筒状スペーサの貫通孔に挿通して円筒状スペーサから突出したねじ軸および円筒状スペーサを挿通してねじ軸を被固定部材に螺合させることにより、固定部材の挿通孔を貫通した円筒状スペーサの、固定部材側の一端を締付座の拡開面で拡径させながら締付座の一部分が円筒状スペーサの貫通孔内に進入し、この円筒状スペーサの一端と締付座とで固定部材を挟持し、被固定部材に対して固定部材を円筒状スペーサの長さの距離離して固定することができる。
したがって、被固定部材に対して、締付座によって厚さが、例えば、５ｍｍ以上の厚い固定部材を円筒状スペーサの長さの距離離して固定する作業において、円筒状スペーサの設置作業および固定ねじ部材による締結作業が同時進行的に行えることにより、固定部材の固定作業が作業性よく行えるとともに、簡便になり、工期を短縮することができるとともに、施工費を大幅に削減することができる。
そして、ねじ軸が木工用ねじ軸であるので、固定部材を木材、木毛材、集成板などの被固定部材に固定することができる。
また、ねじ軸がタッピング用ねじ軸またはドリル用ねじ軸であるので、固定部材を金属板などの被固定部材に固定することができる。
【発明を実施するための最良の形態】
【０００８】
以下、この発明の実施例を図に基づいて説明する。
【０００９】
図１はこの発明の一実施例である固定部材の固定方法に使用する固定具、固定部材、被固定部材および取付部材の斜視図、図２〜図５は図１に示した固定具を用いた固定部材の固定方法の説明図である。
【００１０】
図１において、Ｆは固定具を示し、固定ねじ部材１１と、円筒状スペーサ２１とで構成されている。
【００１１】
上記した固定ねじ部材１１は、金属製で、円錐面状で拡開する拡開面１２ａを有する締付座（頭部）１２と、この締付座１２の拡開面１２ａが縮閉する側の中心に設けられたねじ軸１３とで構成されている。
そして、ねじ軸１３は、例えば、木材に螺合する木工用ねじ軸とされている。
【００１２】
上記した円筒状スペーサ２１は、金属板を円筒状に丸めて軸方向にスリットを有した拡径可能なもので、固定ねじ部材１１の締付座１２の外径よりも細い外径であるとともに、締付座１２の外径よりも小さい内径の貫通孔２２にねじ軸１３が移動可能に挿入される。
【００１３】
３１は固定部材を示し、固定ねじ部材１１の締付座１２によって変形可能な厚さ、例えば、１ｍｍの厚さの金属板を角張ったＵ字状に折り曲げたもので、円筒状スペーサ２１が挿通可能および回転可能な最小限の大きさを有した挿通孔３３が長さ方向に所定間隔で設けられている。
【００１４】
４１は被固定部材としての柱（駆体）を示し、例えば、木材からなり、家屋の外壁を構成するものである。
５１は取付部材としての断熱材を示し、例えば、発泡スチロールで構成され、円筒状スペーサ２１の長さと同じ厚さとされている。
【００１５】
次に、固定部材３１および断熱材５１の柱４１への取付（固定）の一例について説明する。
まず、図２に示すように、柱４１の外側面に断熱材５１を当接させる。
この際、断熱材５１が柱４１の外側面からずり落ちる可能性があれば、断熱材５１を柱４１に仮止めするのが望ましい。
そして、図２に示すように、上下に延びる柱４１の位置に固定部材３１を上下に配置し、固定部材３１の挿通孔３３に、円筒状スペーサ２１の貫通孔２２に挿通して円筒状スペーサ２１から突出した固定ねじ部材１１のねじ軸１３および円筒状スペーサ２１を挿通してねじ軸１３を断熱材５１に突き刺す。
【００１６】
次に、固定ねじ部材１１を押しながらねじ軸１３を断熱材５１に螺合させると、ねじ軸１３が断熱材５１を切り開き、図３に示すように、ねじ軸１３の先端が柱４１に突き当たる。
このように、ねじ軸１３の先端が柱４１に突き当たった状態で、固定ねじ部材１１を押しながらねじ軸１３をさらに柱４１に螺合させると、ねじ軸１３が柱４１に螺合するとともに、締付座１２で押されて固定部材３１の挿通孔３３を通過する円筒状スペーサ２１が断熱材５１を切り開き、図４に示すように、円筒状スペーサ２１が固定部材３１の挿通孔３３を貫通して柱４１に突き当たる。
【００１７】
さらに、ねじ軸１３を柱４１に螺合させると、図５に示すように、締付座１２の拡開面１２ａで円筒状スペーサ２１の、固定部材３１側の一端を拡径させながら締付座１２の一部分が円筒状スペーサ２１の貫通孔２２内に進入し、この円筒状スペーサ２１の一端と締付座１２とで固定部材３１を挟持し、柱４１に対して固定部材３１を円筒状スペーサ２１の長さの距離離して固定するとともに、柱４１と固定部材３１との間に断熱材５１を固定する。
【００１８】
上述したように、この発明の一実施例によれば、固定部材３１の挿通孔３３に前側（柱４１と反対側）から、円筒状スペーサ２１の貫通孔２２に挿通して円筒状スペーサ２１から突出したねじ軸１３および円筒状スペーサ２１を挿通してねじ軸１３を柱４１に螺合させることにより、固定部材３１の挿通孔３３を貫通した円筒状スペーサ２１の、固定部材３１側の一端を締付座１２の拡開面１２ａで拡径させながら締付座１２の一部分が円筒状スペーサ２１の貫通孔２２内に進入し、この円筒状スペーサ２１の一端と締付座１２とで固定部材３１を挟持し、柱４１に対して固定部材３１を円筒状スペーサ２１の長さの距離離して固定することができる。
したがって、柱４１に対して、締付座１２によって厚さが、例えば、１ｍｍ程度の薄い固定部材３１を円筒状スペーサ２１の長さの距離離して固定する作業において、円筒状スペーサ２１の設置作業および固定ねじ部材１１による締結作業が同時進行的に行えることにより、固定部材３１の固定作業が作業性よく行えるとともに、簡便になり、工期を短縮することができるとともに、施工費を大幅に削減することができる。
そして、ねじ軸１３が木工用ねじ軸であるので、固定部材３１を木材、木毛材、集成板などの被固定部材に固定することができる。
【００１９】
図６（ａ）はこの発明の他の実施例である固定部材の固定方法に使用する固定具、固定部材、被固定部材および取付部材の斜視図、図６（ｂ）は図６（ａ）に示した固定部材の部分縦断面図、図７〜図１０は図６に示した固定具を用いた固定部材の固定方法の説明図であり、図１〜図５と同一または相当部分に同一符号を付し、その説明を省略する。
【００２０】
図６において、３１Ａは固定部材を示し、固定ねじ部材１１の締付座１２によって変形不可能な厚さ、例えば、５ｍｍの厚さの金属板で、固定ねじ部材１１を構成する締付座１２の拡開面１２ａと同じ円錐面状で縮閉する縮閉面３２の縮閉端に、締付座１２の外径よりも小さい内径で、円筒状スペーサ２１を挿通可能な挿通孔３３が設けられている。
そして、縮閉面３２および挿通孔３３は、固定部材３１Ａの長さ方向に所定間隔で設けられている。
【００２１】
次に、固定部材３１Ａおよび断熱材５１の柱４１への取付（固定）の一例について説明する。
まず、図７に示すように、柱４１の外側面に断熱材５１を当接させる。
この際、断熱材５１が柱４１の外側面からずり落ちる可能性があれば、断熱材５１を柱４１に仮止めするのが望ましい。
そして、図７に示すように、上下に延びる柱４１の位置に固定部材３１Ａを、縮閉面３２が柱４１側へ向くようにして（縮閉面３２の大径側を柱４１と反対側にして）上下に配置し、固定部材３１Ａの挿通孔３３に、円筒状スペーサ２１の貫通孔２２に挿通して円筒状スペーサ２１から突出した固定ねじ部材１１のねじ軸１３および円筒状スペーサ２１を挿通してねじ軸１３を断熱材５１に突き刺す。
【００２２】
次に、固定ねじ部材１１を押しながらねじ軸１３を断熱材５１に螺合させると、ねじ軸１３が断熱材５１を切り開き、図８に示すように、ねじ軸１３の先端が柱４１に突き当たる。
このように、ねじ軸１３の先端が柱４１に突き当たった状態で、固定ねじ部材１１を押しながらねじ軸１３をさらに柱４１に螺合させると、ねじ軸１３が柱４１に螺合するとともに、締付座１２で押されて固定部材３１Ａの挿通孔３３を通過する円筒状スペーサ２１が断熱材５１を切り開き、図９に示すように、円筒状スペーサ２１が固定部材３１Ａの挿通孔３３を貫通して柱４１に突き当たる。
【００２３】
さらに、ねじ軸１３を柱４１に螺合させると、図１０に示すように、締付座１２の拡開面１２ａで円筒状スペーサ２１の、固定部材３１側の一端を拡径させながら締付座１２の一部分が円筒状スペーサ２１の貫通孔２２内に進入し、この円筒状スペーサ２１の一端と締付座１２とで固定部材３１Ａを挟持し、柱４１に対して固定部材３１Ａを円筒状スペーサ２１の長さの距離離して固定するとともに、柱４１と固定部材３１Ａとの間に断熱材５１を固定する。
【００２４】
上述したように、この発明の一実施例によれば、固定部材３１Ａの挿通孔３３に縮閉面３２の大径側から、円筒状スペーサ２１の貫通孔２２に挿通して円筒状スペーサ２１から突出したねじ軸１３および円筒状スペーサ２１を挿通してねじ軸１３を柱４１に螺合させることにより、固定部材３１Ａの挿通孔３３を貫通した円筒状スペーサ２１の、固定部材３１Ａ側の一端を締付座１２の拡開面１２ａで拡径させながら締付座１２の一部分が円筒状スペーサ２１の貫通孔２２内に進入し、この円筒状スペーサ２１の一端と締付座１２とで固定部材３１Ａを挟持し、柱４１に対して固定部材３１Ａを円筒状スペーサ２１の長さの距離離して固定することができる。
したがって、柱４１に対して、固定ねじ部材１１の締付座１２によって厚さが、例えば、５ｍｍ以上の厚い固定部材３１Ａを円筒状スペーサ２１の長さの距離離して固定する作業において、円筒状スペーサ２１の設置作業および固定ねじ部材１１による締結作業が同時進行的に行えることにより、固定部材３１Ａの固定作業が作業性よく行えるとともに、簡便になり、工期を短縮することができるとともに、施工費を大幅に削減することができる。
そして、ねじ軸１３が木工用ねじ軸であるので、固定部材３１Ａを木材、木毛材、集成板などの被固定部材に固定することができる。
【００２５】
上記した実施例では、固定ねじ部材１１を金属製とした例を示したが、非金属製、例えば、プラスチック製の固定ねじ部材であってもよい。
また、円筒状スペーサ２１を、金属板を円筒状に丸めて軸方向にスリットを有した拡径可能なものとした例を示したが、軸方向にスリットを有していなくとも、締付座１２で拡径可能な厚さを有した金属性または非金属製、例えば、プラスチック製の円筒状スペーサであってもよい。
また、固定部材３１，３１Ａと柱４１との間に断熱材５１を介在させた状態で、柱４１に対して固定部材３１，３１Ａを円筒状スペーサ２１の長さの距離離して固定する例を示したが、固定部材３１，３１Ａと柱４１との間に何も介在させなくても、他の部材を介在させてもよい。
なお、固定部材３１，３１Ａと柱４１との間に、円筒状スペーサ２１で拡開、押し潰すことのできない硬質な部材を介在させる場合は、硬質な部材に、円筒状スペーサ２１の一端を拡径させ、円筒状スペーサ２１の一端と締付座１２とで固定部材３１，３１Ａを挟持することのできる孔を設けることにより、上記した説明と同様に固定部材３１，３１Ａを柱４１に固定することができる。
また、被固定部材を柱４１とした例を示したが、被固定部材を金属板などとし、ねじ軸をタッピング用ねじ軸またはドリル用ねじ軸とすることにより、固定部材３１，３１Ａを金属板などの被固定部材に固定することができる。
【図面の簡単な説明】
【００２６】
【図１】この発明の一実施例である固定部材の固定方法に使用する固定具、固定部材、被固定部材および取付部材の斜視図である。
【図２】図１に示した固定具を用いた固定部材の固定方法の説明図である。
【図３】図１に示した固定具を用いた固定部材の固定方法の説明図である。
【図４】図１に示した固定具を用いた固定部材の固定方法の説明図である。
【図５】図１に示した固定具を用いた固定部材の固定方法の説明図である。
【図６】（ａ）はこの発明の他の実施例である固定部材の固定方法に使用する固定具、固定部材、被固定部材および取付部材の斜視図、（ｂ）は図６（ａ）に示した固定部材の部分縦断面図である。
【図７】図６に示した固定具を用いた固定部材の固定方法の説明図である。
【図８】図６に示した固定具を用いた固定部材の固定方法の説明図である。
【図９】図６に示した固定具を用いた固定部材の固定方法の説明図である。
【図１０】図６に示した固定具を用いた固定部材の固定方法の説明図である。
【符号の説明】
【００２７】
Ｆ      固定具
１１    固定ねじ部材
１２    締付座（頭部）
１２ａ  拡開面
１３    ねじ軸
２１    円筒状スペーサ
２２    貫通孔
３１    固定部材
３１Ａ  固定部材
３２    縮閉面
３３    挿通孔
４１    柱（躯体、被固定部材）
５１    断熱材（取付部材）
【図１】
2008240788.tif 000003
【図２】
2008240788.tif 000004
【図３】
2008240788.tif 000005
【図４】
2008240788.tif 000006
【図５】
2008240788.tif 000007
【図６】
2008240788.tif 000008
【図７】
2008240788.tif 000009
【図８】
2008240788.tif 000010
【図９】
2008240788.tif 000011
【図１０】
2008240788.tif 000012